(57)【要約】【課題】開閉翼片の開放回数を多くしても、開閉翼片を確実に起立姿勢に保持することができるようにする。【解決手段】制御部材６、７は、回転部材４、５の突部４１〜４５、５１〜５４のうち特定突部４１、５１または５３に対して当接することにより、開閉翼片３、３に係合して開閉翼片３、３を起立姿勢に保持する係合位置に回動し、また、他の突部４２〜４５、５２、５４に当接することにより、開閉翼片３、３との係合を解除して開閉翼片３、３を傾倒姿勢とする解除位置に回動する。【選択図】  図４
2009039236.tif 000002
【特許請求の範囲】
【請求項１】
起立姿勢及び傾倒姿勢に移動可能な開閉翼片と、
前記開閉翼片を通じて受け入れられた遊技球を流下させる球通路と、
周方向に複数の突部を等間隔で形成すると共に、前記複数の突部のうち少なくとも１個を他の突部に比して突出量が異なる特定突部とし、遊技球が前記球通路内を流下する毎に前記突部に当接することにより、前記突部の間隔に相当する角度回転可能な回転部材と、
前記回転部材に接触して、遊技球と当接したときの前記回転部材の過回動を規制する制動部材と、
前記突部のうち前記特定突部に対して当接することにより、前記開閉翼片に係合して前記開閉翼片を起立姿勢に保持する係合位置に回動し、また、前記他の突部に当接することにより、前記開閉翼片との係合を解除して前記開閉翼片を傾倒姿勢とする解除位置に回動可能な制御部材とを備えたことを特徴とする遊技球入賞装置。
【請求項２】
前記複数の突部のうち前記特定突部を、前記他の突部よりも突出量が小さくなるように形成したことを特徴とする請求項１記載の遊技球入賞装置。
【請求項３】
前記制御部材は、前記回転部材の回転位置に応じた前記突部に当接可能な当接片と、前記可動翼片の移動軌跡内に進退可能な係合部を有することを特徴とする請求項１または２記載の遊技球入賞装置。
【発明の詳細な説明】
【技術分野】
【０００１】
本発明は、パチンコ機に用いられる遊技球入賞装置に関する。
【背景技術】
【０００２】
遊技球入賞装置においては、閉鎖状態を形成する起立姿勢及び開放状態を形成する傾倒姿勢に回動可能な開閉翼片と、開閉翼片を通じて受け入れられた遊技球に当接して回転することにより、開閉翼片を起立姿勢及び傾倒姿勢に制御する回転部材と、回転部材に接触して遊技球と当接したときの回転部材の過回動を規制する制動部材とを備える。また、回転部材には、開閉翼片の開放回数を決定するための複数の突部（係合片）と、開閉翼片を起立姿勢に保持するための制動片が設けられている（例えば、特許文献１参照）。
【特許文献１】特開２００６−４３０５９号公報
【発明の開示】
【発明が解決しようとする課題】
【０００３】
上述のような遊技球入賞装置においては、開閉翼片を起立位置に保持するための制動片の大きさは各突部の間の角度によって決定される。そのため、開閉翼片の開放回数を多くすればするほど、それに反比例して各突部の間の角度が小さくなって、制動片の大きさは小さくなる。制動片が小さくなると、開閉翼片を起立位置に保持するための係合が不確実になり、開閉翼片の開閉動作が不安定になる。
【０００４】
本発明は、上述の課題に鑑みてなされたもので、開閉翼片の開放回数を多くしても、開閉翼片を確実に起立姿勢に保持することができるようにした遊技球入賞装置を提供することを目的とする。
【課題を解決するための手段】
【０００５】
本発明によると、上記課題は、次のようにして解決される。
（１）起立姿勢及び傾倒姿勢に移動可能な開閉翼片と、前記開閉翼片を通じて受け入れられた遊技球を流下させる球通路と、周方向に複数の突部を等間隔で形成すると共に、前記複数の突部のうち少なくとも１個を他の突部に比して突出量が異なる特定突部とし、遊技球が前記球通路内を流下する毎に前記突部に当接することにより、前記突部の間隔に相当する角度回転可能な回転部材と、前記回転部材に接触して、遊技球と当接したときの前記回転部材の過回動を規制する制動部材と、前記突部のうち前記特定突部に対して当接することにより、前記開閉翼片に係合して前記開閉翼片を起立姿勢に保持する係合位置に回動し、また、前記他の突部に当接することにより、前記開閉翼片との係合を解除して前記開閉翼片を傾倒姿勢とする解除位置に回動可能な制御部材とを備える。
【０００６】
（２）上記(１)項において、前記複数の突部のうち前記特定突部を、前記他の突部よりも突出量が小さくなるように形成する。
【０００７】
（３）上記(１)または(２)項において、前記制御部材は、前記回転部材の回転位置に応じた前記突部に当接可能な当接片と、前記可動翼片の移動軌跡内に進退可能な係合部を有する。
【発明の効果】
【０００８】
上記手段により、本発明は、開閉翼片の開放回数、すなわち各突部の間の角度に関係しない制御部材によって、開閉翼片を起立位置に保持するため、開閉翼片の開放回数を多くしても、開閉翼片を起立位置に確実に保持することができ、開閉翼片の確実な開閉動作を可能にすることができる。
【発明を実施するための最良の形態】
【０００９】
以下、本発明に係わる一実施形態を図面に基づいて説明する。図１は、閉鎖状態にあるときの遊技球入賞装置の正面図、図２は、開放状態にあるときの遊技球入賞装置の正面図、図３は、斜め後方から見た遊技球入賞装置の分解斜視図、図４は、図１におけるIV−IV線縦断面図、図５は、図２におけるＶ−Ｖ線縦断面図、図６は、図５と異なる状態にあるときの図２におけるＶ−Ｖ線縦断面図である。なお、以下の説明においては、図１、２において図面手前を「前方または表面」とし、図面奥を「後方または裏面」とし、左方を「左方」とし、右方を「右方」とする。
【００１０】
遊技球入賞装置１は、パチンコ機に用いられるものであって、遊技球が打ち込まれる円形状の遊技領域を形成する遊技盤の前面に配設され、遊技領域に打ち込まれた遊技球が入賞し難いまたは入賞不能な閉鎖状態（図１参照）及び入賞し易い開放状態（図２参照）に変化可能である。
【００１１】
遊技球入賞装置１は、遊技盤に固定されるケース２と、ケース２の前部に開閉可能に枢支される左右１対の開閉翼片３、３と、左右の第１、２回転部材４、５と、左右の制御部材６、７と、制動部材をなすバネ部材８と、ケース２の前面を閉鎖する前面板９とを有している。
【００１２】
１対の開閉翼片３、３は、その下部が前面板９の裏面に形成された後方を向く支持軸９１により枢支され、図１に示す起立姿勢で閉鎖状態を形成し、また、図２に示す傾倒姿勢で開放状態を形成する。開閉翼片３、３の偏心位置には、起立姿勢にあるとき、傾倒姿勢へ付勢する錘１０、１０が設けられている。なお、遊技球１００が傾倒姿勢にある開閉翼片３、３間を通過するとき、開閉翼片３、３は、遊技球１００の重さによって、傾倒姿勢から起立位置へ一旦回動するような動作を行なう。
【００１３】
ケース２には、遊技盤の後側から遊技球１００が前方へ向けて通過可能な導入口２１と、導入口２１及び開閉翼片３、３間を通じて内部に受け入れられた遊技球１００を流下させる球通路２２が設けられている。遊技領域に打ち込まれて遊技領域に設けられた入賞口（図示略）に入賞した遊技球１００は、遊技盤の裏面に設けられた誘導路（図示略）により導入口２１に誘導される。
【００１４】
第１回転部材４は、ケース２内に左右方向を向く支軸１１により回転自在に支持されると共に、外周面に周方向に沿って５個の第１突部４１〜４５が等間隔で形成され、球通路２２を流下する遊技球１００が第１突部４１〜４５のいずれかに当接する毎に、各第１突部４１〜４５の間の角度に相当する第１角度（７２度）回転する。５個の突部４１〜４５のうち１個の第１突部４１は、他の第１突部４２〜４５よりも外方への突出量が小さい短第１突部（特定第１突部）を形成し、また、他の突部４２〜４５は、長第１突部を形成する。
【００１５】
第２回転部材５は、第１回転部材４と同軸上に別々に回転自在に支持されると共に、外周面に周方向に沿って４個の第２突部５１〜５４が等間隔で形成され、球通路２２を流下する遊技球１００が第２突部５１〜５４のいずれかに当接する毎に、第２突部５１〜５４の間の角度に相当する第２角度（９０度）回転する。第２突部５１〜５４のうち２個の第２突部５１、５３は、他の第２突部５２、５４よりも外方への突出量が小さい短第２突部（特定第２突部）を形成し、また、他の第２突部５２、５４は、長第２突部を形成する。
【００１６】
左右の制御部材６、７は、互いに同期して回動し得るように、上部が左右方向を向く支軸１２により枢支されると共に、第１、２回転部材４、５の回転位置に応じて、図４に示す係合位置及び図５、６に示す解除位置に回動可能であって、それぞれの下前端部には、開閉翼片３、３の下部内面に設けた被係合部３１、３１の移動軌跡内に進退可能な係合部６１、７１が設けられている。また、左の制御部材６の偏心位置には、左右の制御部材６、７を係合位置に向けて付勢する錘１３が設けられている。
【００１７】
左の制御部材６には、第１回転部材４の回転位置に応じて、第１突部４１〜４５のいずれかに対向して当接可能な第１当接片６２が設けられている。右の制御部材７には、第２回転部材５の回転位置に応じて、第２突部５１〜５４のいずれかに対向して当接可能な第２当接片７２が設けられている。
【００１８】
図５、６に示すように、長第１突部４２〜４５のいずれかが第１当接片６２に対向して当接するか、または、長第２突部５２、５４が第２当接片７２に対向して当接しているときは、制御部材６、７は解除位置に保持され、また、図４に示すように、小第１突部４１が第１当接片６２に対向し、かつ小第２突部５１または５２が第２当接片７２に対向しているときのみ、制御部材６、７は、錘１３の作用により係合位置に回動する。
【００１９】
制御部材６、７が係合位置にあるときは、係合部６１、７１が開閉翼片３、３の被係合部３１、３１に係合することによって、開閉翼片３、３を起立姿勢に保持し、また、同じく解除位置にあるときは、係合部６１、７１が開閉翼片３、３の被係合部３１、３１から離脱して、開閉翼片３、３の傾倒姿勢への回動を可能にする。
【００２０】
第１回転部材４は、短第１突部４１を１個、長第１突部４２〜４５を４個形成しているため、遊技球１００が球通路２２を流下する毎に１／５回転（７２度）ずつ回転する。また、第２回転部材５は、短第２突部５１、５３、長第２突部５２、５３を交互に計４個形成しているため、遊技球１００が球通路２２を流下する毎に１／４回転（９０度）ずつ回転する。このため、第１回転部材４は、球通路２２を遊技球１００が５個流下する毎に一回転し、また、第２回転部材５は、球通路２２を遊技球１００が４個流下する毎に一回転する。
【００２１】
第１、２回転部材４、５の回転位置と開閉翼片２、２の関係は、図７に示すようになる。なお、図７中、×は、第１回転部材４においては小第１突部４１が第１当接片６２に対向する回転位置にあるときを示し、第２回転部材５においては小第２突部５１または５３が第２当接片７２に対向する回転位置にあるときを示す。また、○は、第１回転部材５においては長第１突部４２〜４５のいずれかが第１当接片６２に対向する回転位置にあるときを示し、第２回転部材５においては長第２突部５２または５４が第２当接片７２に対向する回転位置にあるときを示す。
【００２２】
図７から明らかなように、第１回転部材４の第１突部４１〜４５を５個として、そのうち１個を短突部とし、また、第２回転部材５の第２突部５１〜５４を４個として、そのうち２個を短突部とした場合には、制御部材６、７が一旦解除位置に回動すると、第１、２回転部材４、５の回転に伴って、９回連続して解除位置となるため、開閉翼片３、３は、９回連続して、すなわち球通路２２を遊技球１００が９個流下するまで傾倒姿勢を維持する。
【００２３】
バネ部材８は、ケース２に固定される基部８１から前方へ延出する左右の弾性アーム部８２、８３を有する。左の弾性アーム部８２は、第１回転部材４の各第１突部４１〜４５の間の領域に接触して、球通路２２を流下する遊技球１００と第１突部４１〜４５とが当接したときの第１回転部材４の過回動を規制する。また、右の弾性アーム部８３は、第２回転部材５の各第２突部５１〜５４の間の領域に接触して、球通路２２を流下する遊技球１００と第２突部５１〜５４とが当接したときの第２回転部材５の過回動を規制する。
【００２４】
次に、本実施形態における作用について説明する。図１、４に示すように、制御部材６、７が係合位置にあって、開閉翼片３、３が起立姿勢にあるとき、遊技領域に打ち込まれた遊技球１００が導入口２１を通じて開閉翼片３、３間に入球すると、その遊技球１００は、第１、２回転部材４、５の第１、２突部４３、５１に当接しつつ球通路２２を流下する。これにより、第１、２回転部材４、５は、左右の弾性アーム部８２、８３の圧接作用によって遊技球１００が流下したときの過回動が防止されて、それぞれ反時計方向へ所定角回転して図５に示す回転位置に停止する。
【００２５】
図５に示す状態においては、第１、２回転部材４、５の長第１、２突部４５、５２がそれぞれ第１、２当接片６２、７２に対向して当接するため、制御部材６、７は解除位置に保持されて、各係合部６１、７１は開閉翼片３、３の被係合部３１との係合を解除するため、開閉翼片３、３は錘１０の作用により傾倒位置に回動する。その後、傾倒姿勢にある開閉翼片３、３間に遊技球１００が入球する毎に、第１、２回転部材４、５は、それぞれ所定角ずつ回転し、遊技球１００が９個入球すると、図６に示す状態（短第１、２突部４１、５３が１つ手前の位置にある状態）を経て、再び図４に示す状態、すなわち、短第１、２突部４１、５３が第１、２当接片６２、７２に対向する状態となるため、制御部材６、７は、錘１３の作用により係合位置に回動することにより、開閉翼片３、３の被係合部３１に係合して、開閉翼片３、３を起立位置に保持する。
【００２６】
上述により、本発明における実施形態においては、開閉翼片３、３の開放回数、すなわち各回転部材４、５の各突部４１〜４５、５１〜５４の間の角度に関係しない制御部材６、７により、開閉翼片３、３の被係合部３１に係合して開閉翼片３、３を起立位置に保持するようにしたから、各回転部材４、５の各突部４１〜４５、５１〜５４の数を増しても、開閉翼片３、３を起立位置に確実に保持することができ、開閉翼片３、３を確実に開閉させることができる。また、各回転部材４、５の各突部４１〜４５、５１〜５４の組み合わせにより、各回転部材４、５の径を大きくすることなく、開閉翼片３、３の開放回数を容易に多くすることができる。
【００２７】
以上、本発明の一実施形態について説明したが、本発明の要旨を逸脱しない範囲内で、本実施形態に対して、次のような種々の変形や変更を施すことが可能である。
（ｉ）各回転部材４、５の各突部４１〜４５、５１〜５４の数を適宜変更する。
（ii）第２回転部材５を廃止して、第１回転部材４のみとする。
【図面の簡単な説明】
【００２８】
【図１】本発明に係わる遊技球入賞装置が閉鎖状態にあるときのその正面図である。
【図２】同じく開放状態にあるときの遊技球入賞装置の正面図である。
【図３】同じく斜め後方から見た遊技球入賞装置の斜視図である。
【図４】図１におけるIV−IV線縦断面図である。
【図５】図２におけるＶ−Ｖ線縦断面図である。
【図６】図５と異なる状態の図２におけるＶ−Ｖ線縦断面図である。
【図７】回転部材の回転位置と開閉翼片の状態との関係を示す説明図である。
【符号の説明】
【００２９】
１  遊技球入賞装置
２  ケース
３  開閉翼片
４  第１回転部材
５  第２回転部材
６、７  制御部材
８  バネ部材（制動部材）
９  前面板
１０  錘
１１、１２  支軸
１３  錘
２１  導入口
２２  球通路
３１  被係合部
４１  短第１突部（特定第１突部）
４２〜４５  長第１突部
５１、５３  短第２突部（特定第２突部）
５２、５４  長第２突部
６１、７１  係合部
６２、７２  当接片
８１  基部
８２、８３  弾性アーム部
９１  支持軸
１００  遊技球
【図１】
2009039236.tif 000003
【図２】
2009039236.tif 000004
【図３】
2009039236.tif 000005
【図４】
2009039236.tif 000006
【図５】
2009039236.tif 000007
【図６】
2009039236.tif 000008
【図７】
2009039236.tif 000009